(57)【要約】【課題】ジョブの実行に使用される給紙トレイの切り替わり情報をジョブの実行前に知ることのできる画像形成装置を提供すること。【解決手段】複数のジョブに基づいて画像形成を行う画像形成部４３を備えた画像形成装置１において、画像形成部４３による複数のジョブの実行前に、ジョブの実行に使用される給紙トレイが切り替わることを示す切り替わり情報をＬＣＤ３１に表示させる制御部１１０を備える。【選択図】図１
2010044141.tif 000002
【特許請求の範囲】
【請求項１】
複数のジョブに基づいて画像形成を行う画像形成部を備えた画像形成装置において、
前記画像形成部による前記複数のジョブの実行前に、ジョブの実行に使用される給紙トレイが切り替わることを示す切り替わり情報を表示部に表示させる制御部を備えた画像形成装置。
【請求項２】
前記切り替わり情報は、前記表示部の表示画面の縦軸又は横軸のいずれか一方の軸に沿って配置された給紙トレイ情報、他方の軸に沿って配置されたジョブ実行時間又は使用する用紙枚数情報、ジョブの実行に使用される給紙トレイに格納された用紙の推定残量を示す情報、ジョブの実行に使用される給紙トレイの切り替わりのタイミングを示す情報、及び切り替わる給紙トレイを示す情報を含む請求項１に記載の画像形成装置。
【請求項３】
前記制御部は、前記ジョブの実行に使用される給紙トレイに格納された用紙の推定残量を示す情報として、用紙の推定残量ありを示す情報、用紙の推定残量少を示す情報、及び用紙の推定残量なしを示す情報の少なくとも３つを前記表示部に表示させる請求項２に記載の画像形成装置。
【請求項４】
前記制御部は、前記ジョブの実行に使用される給紙トレイに格納された用紙の推定残量を示す情報が前記用紙の推定残量ありを示す情報から前記用紙の推定残量少を示す情報に変化する時点で、前記前記ジョブの実行に使用される給紙トレイの切り替わりのタイミングを示す情報を前記表示部に表示させる請求項３に記載の画像形成装置。
【請求項５】
前記制御部は、前記切り替わる給紙トレイを示す情報が押下操作可能なボタンアイコンである場合、前記ボタンアイコンの押下操作に基づいて、前記ジョブの実行に使用される給紙トレイの切り替わりを無効にする無効ボタンを表示させ、当該無効ボタンの押下操作に基づいて、前記ジョブの実行に使用される給紙トレイの切り替えを無効にする請求項２から４のいずれか一項に記載の画像形成装置。
【請求項６】
前記制御部は、前記切り替わる給紙トレイを示す情報が押下操作可能なボタンアイコンである場合、前記ボタンアイコンの押下操作に基づいて、前記ジョブの実行に使用される給紙トレイを切り替える優先順位を変更する変更ボタンを表示させ、当該変更ボタンの押下操作に基づいて、前記優先順位を変更する請求項２から４のいずれか一項に記載の画像形成装置。  
【請求項７】
前記制御部は、前記ジョブの実行に使用される給紙トレイに格納された用紙の残量がジョブ実行中になくなった際、ジョブの実行に使用される給紙トレイを切り替える優先順位に従い、当該用紙の残量がなくなった給紙トレイに格納されていた用紙と同サイズの用紙が格納された給紙トレイを前記ジョブの実行に使用される給紙トレイに自動的に切り替える請求項１から６のいずれか一項に記載の画像形成装置。
【請求項８】
前記制御部は、ジョブの区切りごとに縦線を前記表示部に表示させる請求項１から７のいずれか一項に記載の画像形成装置。
【請求項９】
前記制御部は、給紙トレイに格納された現時点の用紙残量を前記表示部に表示させる請求項１から８のいずれか一項に記載の画像形成装置。
【発明の詳細な説明】
【技術分野】
【０００１】
本発明は、画像形成装置に関する
【背景技術】
【０００２】
近年、画像形成作業を行う現場では、複数の給紙トレイを備えた画像形成装置により多種多用な紙種又はサイズ等の仕様の異なる用紙を使用して画像形成作業が行われる。
このような画像形成作業の現場のユーザは、画像形成装置の各種調整、用紙の補給等を行う。画像形成作業を円滑に行うためには、ユーザがジョブ実行前にそのジョブでどのような給紙トレイが使用されるかを知り、事前に給紙トレイの調整や用紙の補給等をすることが必要である。
【０００３】
従来、ユーザの用紙補給作業等の利便に供するために、ジョブごとのスケジュールを表示ユニットに表示するようにした印刷システムが開示されている（特許文献１参照）。この特許文献１の例は、表示ユニットのスクリーン上に縦軸に沿って用紙の種類を並べ、横軸に稼働時間／使用枚数をとり、グラフ上のスケジュール表示を行うものである。
【特許文献１】特開２００４−３４８７１３号公報
【発明の開示】
【発明が解決しようとする課題】
【０００４】
画像形成作業を行う現場では、使用する用紙の枚数が多いジョブ（大容量ジョブ）を実行する場合がある。この場合、１つの給紙トレイに格納された用紙だけでは枚数が足りないため、複数の給紙トレイに格納された用紙が使用される。このとき、ジョブに使用される給紙トレイは、自動的に切り替えられる。
このような大容量ジョブを実行する場合、上記特許文献１に開示された技術では、どのタイミングでどの給紙トレイの用紙がなくなり、どの給紙トレイに切り替わるのかについての情報（切り替わり情報）を表示できない。すなわち、上記特許文献１に開示された技術では、ユーザは、切り替わり情報をジョブの実行前に知ることができなかった。
また、画像形成装置を安定的に稼働させるため、表裏調整等（用紙の表面と裏面の画像形成位置の調整）が未調整の給紙トレイ等に対して自動切り替えが実行されないように、未調整の給紙トレイ等に対する自動切り替えを無効にしたい場合がある。しかし、特許文献１に開示された技術では、切り替わり情報を表示できないので、自動切り替えを無効にすることが困難であった。
また、画像形成装置を安定的に稼働させるため、複数の給紙トレイのうち用紙残量の少ない給紙トレイ等に対して自動切り替えの優先順位を変更したい場合もある。しかし、特許文献１に開示された技術では、切り替わり情報を表示できないので、切り替えの優先順位を変更することが困難であった。
【０００５】
本発明の課題は、ジョブの実行に使用される給紙トレイの切り替わり情報をジョブの実行前に知ることのできる画像形成装置を提供することである。
【課題を解決するための手段】
【０００６】
上記課題を解決するため、請求項１に記載の発明の画像形成装置は、
複数のジョブに基づいて画像形成を行う画像形成部を備えた画像形成装置において、
前記画像形成部による前記複数のジョブの実行前に、ジョブの実行に使用される給紙トレイが切り替わることを示す切り替わり情報を表示部に表示させる制御部を備える。
【０００７】
請求項２に記載の発明は、請求項１に記載の画像形成装置において、
前記切り替わり情報は、前記表示部の表示画面の縦軸又は横軸のいずれか一方の軸に沿って配置された給紙トレイ情報、他方の軸に沿って配置されたジョブ実行時間又は使用する用紙枚数情報、ジョブの実行に使用される給紙トレイに格納された用紙の推定残量を示す情報、ジョブの実行に使用される給紙トレイの切り替わりのタイミングを示す情報、及び切り替わる給紙トレイを示す情報を含む。
【０００８】
請求項３に記載の発明は、請求項２に記載の画像形成装置において、
前記制御部は、前記ジョブの実行に使用される給紙トレイに格納された用紙の推定残量を示す情報として、用紙の推定残量ありを示す情報、用紙の推定残量少を示す情報、及び用紙の推定残量なしを示す情報の少なくとも３つを前記表示部に表示させる。
【０００９】
請求項４に記載の発明は、請求項３に記載の画像形成装置において、
前記制御部は、前記ジョブの実行に使用される給紙トレイに格納された用紙の推定残量を示す情報が前記用紙の推定残量ありを示す情報から前記用紙の推定残量少を示す情報に変化する時点で、前記前記ジョブの実行に使用される給紙トレイの切り替わりのタイミングを示す情報を前記表示部に表示させる。
【００１０】
請求項５に記載の発明は、請求項２から４のいずれか一項に記載の画像形成装置において、
前記制御部は、前記切り替わる給紙トレイを示す情報が押下操作可能なボタンアイコンである場合、前記ボタンアイコンの押下操作に基づいて、前記ジョブの実行に使用される給紙トレイの切り替わりを無効にする無効ボタンを表示させ、当該無効ボタンの押下操作に基づいて、前記ジョブの実行に使用される給紙トレイの切り替えを無効にする。
【００１１】
請求項６に記載の発明は、請求項２から４のいずれか一項に記載の画像形成装置において、
前記制御部は、前記切り替わる給紙トレイを示す情報が押下操作可能なボタンアイコンである場合、前記ボタンアイコンの押下操作に基づいて、前記ジョブの実行に使用される給紙トレイを切り替える優先順位を変更する変更ボタンを表示させ、当該変更ボタンの押下操作に基づいて、前記優先順位を変更する。  
【００１２】
請求項７に記載の発明は、請求項１から６のいずれか一項に記載の画像形成装置において、  
前記制御部は、前記ジョブの実行に使用される給紙トレイに格納された用紙の残量がジョブ実行中になくなった際、ジョブの実行に使用される給紙トレイを切り替える優先順位に従い、当該用紙の残量がなくなった給紙トレイに格納されていた用紙と同サイズの用紙が格納された給紙トレイを前記ジョブの実行に使用される給紙トレイに自動的に切り替える。
【００１３】
請求項８に記載の発明は、請求項１から７のいずれか一項に記載の画像形成装置において、
前記制御部は、ジョブの区切りごとに縦線を前記表示部に表示させる。
【００１４】
請求項９に記載の発明は、請求項１から８のいずれか一項に記載の画像形成装置において、
前記制御部は、給紙トレイに格納された現時点の用紙残量を前記表示部に表示させる。
【発明の効果】
【００１５】
請求項１に記載の発明によれば、ユーザは、ジョブに使用される給紙トレイの切り替わり情報をジョブの実行前に参照することができるので、ジョブに使用される給紙トレイの切り替わり情報をジョブの実行前に知ることができる。これにより、ユーザはどのタイミングでどの給紙トレイの用紙がなくなり、次にどの給紙トレイに切り替わるのかをジョブの実行前に知ることができるので、適切なタイミングで給紙トレイに用紙を補給することが可能となる。
【００１６】
請求項２に記載の発明によれば、ユーザは、給紙トレイ情報、ジョブ実行時間又は用紙枚数情報、用紙の推定残量を示す情報、切り替わりのタイミングを示す情報及び切り替えられた給紙トレイであることを示す情報を知ることができる。
【００１７】
請求項３に記載の発明によれば、ユーザは、ジョブに使用する給紙トレイに格納された用紙の推定残量を知ることができる。
【００１８】
請求項４に記載の発明によれば、ユーザは、ジョブの実行に使用される給紙トレイの切り替わりのタイミングを知ることができる。
【００１９】
請求項５に記載の発明によれば、ユーザは、ジョブの実行に使用される給紙トレイの切り替わりを無効にするか否かを設定することができる。これにより、装置の状況に応じた自由度の高い設定が可能となり、効率的な装置稼働を実現することができる。
【００２０】
請求項６に記載の発明によれば、ユーザは、優先順位を変更することができる。これにより、装置の状況に応じた自由度の高い設定が可能となり、効率的な装置稼働を実現することができる。
【００２１】
請求項７に記載の発明によれば、ジョブの実行に使用される給紙トレイに格納された用紙の残量がジョブ実行中になくなった際、ジョブの実行に使用される給紙トレイを切り替える優先順位に従い、当該用紙の残量がなくなった給紙トレイに格納されていた用紙と同サイズの用紙が格納された給紙トレイをジョブの実行に使用される給紙トレイに自動的に切り替えることができる。
【００２２】
請求項８に記載の発明によれば、ユーザは、ジョブの実行に使用される給紙トレイや用紙の推定残量をジョブ単位で知ることができる。
【００２３】
請求項９に記載の発明によれば、ユーザは、給紙トレイに格納された現時点の用紙残量を知ることができる。
【発明を実施するための最良の形態】
【００２４】
以下、添付図面を参照して本発明に係る実施の形態を説明する。先ず、図１を参照して画像形成装置１の概略断面構成図を説明する。
【００２５】
図１に示すように、画像形成装置１は、原稿から画像を読み取り、読み取った画像を用紙Ｐに画像形成したり、外部装置等から画像データを含むページデータや各画像データの画像形成条件等の設定情報を含むジョブのジョブ情報を受信し、受信したジョブ情報に基づいて画像を用紙Ｐ上に形成したりする本体部１ａと、画像が形成された用紙に後処理を施す後処理部５０等を備えたデジタル複合機である。本体部１ａは、画像読取部２０と、操作表示部３０と、プリント部４０と等を備えて構成される。
【００２６】
画像読取部２０は、ＡＤＦ（Auto Document Feeder）と称される自動原稿送り部２１と読取部２２とを備え、操作表示部３０により受け付けられた設定情報に基づいて複数の原稿の画像を読み取る機能を実現する。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像
が読み取られる。ここで、画像とは、図形や写真等のイメージデータに限らず、文字や記号等のテキストデータ等も含む意である。
【００２７】
画像読取部２０により読み取られた画像の画像データ（アナログ画像信号）は、後述する画像制御基板の読取処理部１４０に出力され、読取処理部１４０においてＡ／Ｄ変換され各種画像処理が施された後、プリント部４０に出力される。
【００２８】
操作表示部３０は、ＬＣＤ（Liquid Crystal Display）３１、ＬＣＤ３１を覆うように設けられたタッチパネル３２、その他図示しない操作キー群から構成され、ユーザからの指示を受け付けその操作信号を制御部１１０に出力し、また、制御部１１０から入力される表示信号に従って、各種操作指示や設定情報を入力するための各種設定画面や各種処理結果等を表示する。
【００２９】
ＬＣＤ３１は、各種操作指示を示すボタンを複数有する操作画面を表示する表示部として機能し、当該各画面により受け付けられた指示を示す操作信号を後述する制御部１１０に出力する。
【００３０】
また、タッチパネル３２は、操作画面上の押下信号に基づいて操作画面上のボタンの選択指示を受け付ける。
【００３１】
プリント部４０は、入力されたプリントデータに基づいて、電子写真方式の画像形成処
理を行うものであり、積載部４１、用紙搬送部４２、画像形成部４３、搬出部４４を備えて構成される。
【００３２】
積載部４１は、複数の給紙トレイ４１１ａ，４１１ｂ，４１１ｃ、給紙手段４１ｂ、手差しトレイＴ２等を備える。図１では、複数の給紙トレイとして給紙トレイ４１１ａ、４１１ｂ、４１１ｃの３つの給紙トレイを備える構成としているが、３つ以上の給紙トレイ（図示省略）を備える構成としてもよい。各給紙トレイは、給紙トレイごとに用紙の種類毎に予め識別された用紙Ｐが収納されており、給紙手段４１ｂによって用紙Ｐを最上部から一枚ずつ用紙搬送部４２に向けて搬送する。
手差しトレイＴ２は、ユーザのニーズに合わせて様々な種類の用紙Ｐを積載可能となっており、給紙ローラによって積載された用紙Ｐを最上部から一枚ずつ用紙搬送部４２に向けて搬送する。
【００３３】
用紙搬送部４２は、各給紙トレイ又は手差しトレイＴ２から搬送された用紙Ｐを、複数の中間ローラ、レジストローラ４２ａ等を経て転写装置４３ａへと搬送する。また、用紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００３４】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、ジョブ情報に基づいて、用紙に画像を形成する機能を有する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００３５】
定着装置４３ｂは、用紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００３６】
後処理部５０は、画像形成された用紙Ｐのソート処理を行うソートユニット、折処理を行う折ユニット、パンチ処理を行うパンチユニット、設定された綴じ位置に用紙Ｐの束を綴じるステイプル処理を行うステイプルユニット等の各種後処理ユニット、本体部１ａにより画像形成された用紙Ｐや各種後処理が施された用紙Ｐが排紙され積載される排紙トレイＴ３等を備える。
【００３７】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂの受信部としてのＬＡＮＩＦ（Local Area Network InterFace）１４を介してネットワーク３上のＰＣ２と相互に情報の送受信が可能に接続されている。
【００３８】
本体部１ａは、画像読取部２０、操作表示部３０、プリント部４０、画像制御基板１００を備えて構成される。なお、図１で説明した各部と同一の構成には、同一の符号を付してその説明を省略する。
【００３９】
画像制御基板１００は、切り替え部、制御部としての制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０、から構成される。
【００４０】
制御部１１０は、ＣＰＵ（Central Processing Unit）等から構成され、不揮発メモリ
１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
【００４１】
具体的には、制御部１１０は、複数のジョブに基づいて画像形成を行う場合、複数のジョブの実行前に、ジョブの実行に使用される給紙トレイが切り替わることを示す切り替わり情報をＬＣＤ３１に表示させる。
ここで、切り替わり情報は、後述する給紙トレイ情報、ジョブ実行時間又は使用する用紙枚数情報、用紙の推定残量を示す情報、切り替わりのタイミングを示す情報、及び切り替わる給紙トレイを示す情報を含む。
給紙トレイ情報は、後述する縦軸表示部７１Ｂに表示される情報である。ジョブ実行時間又は使用する用紙枚数情報は、後述する横軸表示部７１Ｃに表示される情報である。用紙の推定残量を示す情報は、後述する横バー７１Ｅ〜７１Ｍに表示される表示模様である。切り替わりのタイミングを示す情報は、後述する線Ａである。切り替わる給紙トレイを示す情報は、後述するＡＴＳ表示部７１Ｏ（又はＡＴＳボタンアイコン９１Ａ）である。
【００４２】
次いで、ジョブの実行中に、ジョブの実行に使用される給紙トレイに格納された用紙の残量がなくなった場合における制御部１１０の動作について説明する。この場合、制御部１１０は、ジョブの実行に使用される給紙トレイを切り替える優先順位に従い、当該用紙の残量がなくなった給紙トレイに格納されていた用紙と同サイズの用紙が格納された給紙トレイをジョブの実行に使用される給紙トレイに自動的に切り替える。
例えば、給紙トレイ１（後述する給紙トレイ番号情報１の給紙トレイ。以下、給紙トレイの名称は給紙トレイ番号情報に応じた名称とする）でジョブを実行中に、給紙トレイ１に格納されたＡ４用紙の残量がなくなったとする。また、給紙トレイ２の優先順位が高く、Ａ４用紙が格納されているとする。この場合、制御部１１０は、給紙トレイ１から給紙トレイ２にジョブに使用される給紙トレイを切り替える。
【００４３】
不揮発メモリ１２０は、本実施の形態に係る表示プログラムを記憶する。
【００４４】
ＲＡＭ１３０は、制御部１１０により実行される各種プログラム及びこれらプログラムに係る各種データ等を一時的に記憶するワークエリアを形成する。
【００４５】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４６】
圧縮ＩＣ１５０は、入力されたデジタル画像データに圧縮処理を施してＤＲＡＭ制御ＩＣ１６０に出力する。
【００４７】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４８】
画像メモリ１７０は、ＤＲＡＭ（Dynamic RAM）から構成される圧縮メモリ１７１とペ
ージメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００４９】
伸長ＩＣ１８０は、圧縮画像データに伸長処理を施す。
【００５０】
書込処理部１９０は、ＤＲＡＭ制御ＩＣ１６０から入力された画像データに基づいて、画像形成のためのプリントデータを生成し、プリント部４０に出力する。
【００５１】
画像読取部２０は、ＣＣＤ２２ａ、画像読取制御部２００、その他ここでは図示しないが図１に示した自動原稿送り部２１、読取部２２等から構成される。画像読取制御部２０
０は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００５２】
操作表示部３０は、ＬＣＤ３１、タッチパネル３２、操作表示制御部３００、その他テンキー等の操作キー群から構成される。操作表示制御部３００は、制御部１１０から入力される表示信号に従って、各種設定条件を入力するための各種画面や各種処理結果等をＬＣＤ３１に表示させる。また、操作表示制御部３００は、各種スイッチやボタン、テンキー、操作キー群又はタッチパネル３２等から入力される操作信号を制御部１１０に出力する。
【００５３】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００５４】
後処理部５０は、各種後処理ユニット、各種後処理ユニットへ用紙Ｐを搬送する搬送ローラ等の搬送手段、各種後処理ユニットから搬送された用紙Ｐが排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００５５】
次に、プリンタコントローラ１ｂの各部について説明する。プリンタコントローラ１ｂは、画像形成装置１をネットワークプリンタとして使用する場合に、ネットワーク３に接続されるＰＣ２から画像形成装置１に入力される画像データやジョブの管理及び制御を行うものであり、ＰＣ２からデータを受信し、当該データを操作マニュアルに関連付けられる画像データやジョブとして本体部１ａへ送信する。
【００５６】
プリンタコントローラ１ｂは、コントローラ制御部１１、ＤＲＡＭ制御ＩＣ１２、画像メモリ１３、ＬＡＮＩＦ１４から構成される。
【００５７】
コントローラ制御部１１は、プリンタコントローラ１ｂ各部の動作を統括的に制御し、ＬＡＮＩＦ１４を介して、ＰＣ２から入力されるデータをジョブとして本体部１ａへ送信する。
【００５８】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５９】
画像メモリ１３は、ＤＲＡＭから構成され、入力された出力データを一時的に格納する。
【００６０】
ＬＡＮＩＦ１４は、ＮＩＣ（Network Interface Card）やモデム等のＬＡＮ等のネット
ワーク３に接続するための通信インターフェイスであり、ＰＣ２からデータを受信する。受信されたデータは、ＤＲＡＭ制御ＩＣ１２に出力される。
【００６１】
次に、図３及び図４を参照して、ＡＴＳ設定画面の一例を説明する。ＡＴＳとは、ジョブの実行に使用される給紙トレイを自動的に切り替えることである。図３に示す表示画面３１Ａは、ＡＴＳ設定を行う際にＬＣＤ３１に表示される画面の一例である。表示画面３１Ａにおいて、ユーザにより、ＡＴＳ許可設定ボタン３１Ｂが押下されると、図４に示す表示画面４１ＡがＬＣＤ３１に表示される。表示画面４１Ａは、ＡＴＳ設定を実行するか否かを設定するための画面である。ユーザにより、ＯＮボタン４１Ｂが押下され、さらに、ＯＫボタン４１Ｄが押下されると、ＡＴＳが設定される。ＯＦＦボタン４１Ｃが押下されると、ＡＴＳは設定されない。
【００６２】
次に、図５及び図６を参照して、ジョブの実行に使用される給紙トレイの自動選択設定画面及び優先順位の設定画面の一例を説明する。図５に示す表示画面は、図３と同様の表示画面３１Ａである。表示画面３１Ａにおいて、ユーザにより、給紙トレイ自動選択ボタン３１Ｃが押下されると、図６に示す表示画面６１ＡがＬＣＤ３１に表示される。表示画面６１Ａは、自動選択有無設定部６１Ｂと、トレイ優先順位設定部６１Ｃと、を表示する。自動選択有無設定部６１Ｂは、複数の給紙トレイの中から、ジョブの実行に使用される給紙トレイを自動選択設定するための設定部である。トレイ優先順位設定部６１Ｃは、優先順位を設定するための設定部である。
【００６３】
例えば、自動選択有無設定部６１Ｂにおいて、トレイ１ボタン６１Ｄ、トレイ２ボタン６１Ｅ、トレイ３ボタン６１Ｆが押下されると、給紙トレイ１、給紙トレイ２、及び給紙トレイ３は、自動選択される給紙トレイに設定される。また、トレイ優先順位設定部６１Ｃにおいて、自動選択有無設定部６１Ｂで設定された給紙トレイ（トレイ１、トレイ２、トレイ３）の優先順位が上ボタン６１Ｇ、下ボタン６１Ｈを押下することにより設定される。例えば、ユーザがトレイ３の優先順位を高くしたい場合は、トレイ３ボタン６１Ｋを押下し、上ボタン６１Ｇを押下することにより、トレイ３の優先順位を高く設定することができる。
【００６４】
次いで、図７を参照して、ＬＣＤ３１に表示されるジョブスケジューリング画面７１Ａの一例を説明する。
【００６５】
ジョブスケジューリング画面７１は、ＡＴＳ設定、自動選択設定及び優先順位の設定が実行された後、制御部１１０の指示によりジョブの実行前にＬＣＤ３１に表示される画面である。ジョブスケジューリング画面７１は、ジョブの実行スケジュールを示すジョブスケジュール表７１Ａを表示する。ジョブスケジュール表７１Ａは、縦軸表示部７１Ｂと、横軸表示部７１Ｃと、縦線７１Ｄと、横バー７１Ｅ〜７１Ｍと、切り替わり状態表示部７１Ｎと、を有する。
【００６６】
縦軸表示部７１Ｂは、複数の給紙トレイの情報を表示する。給紙トレイの情報とは、例えば、給紙トレイを識別するための給紙トレイ番号情報、用紙のサイズ情報、用紙の種類情報、用紙の残量情報のことをいう。例えば、縦軸表示部７１Ｂの給紙トレイ表示部７１１は、給紙トレイ番号情報「１」、用紙のサイズ情報「Ａ４」、用紙の種類情報「普通紙」、現時点の用紙残量情報（残量表示部７１２に該当）を表示する。
【００６７】
横軸表示部７１Ｃは、ジョブに使用する用紙の枚数情報を示す。縦線７１Ｄは、ジョブの区切り毎に表示される線である。
【００６８】
横バー７１Ｅ〜７１Ｍは、ジョブの実行に使用される給紙トレイに格納された用紙の推定残量を示す情報を表すバーである。用紙の推定残量を示す情報とは、用紙の推定残量のレベルを示す表示模様のことをいう。具体的には、横バー７１Ｅ〜７１Ｍは、用紙の推定残量のレベルに応じて表示模様が変化する。例えば、横バー７１Ｅは、同一の模様（斜線）で表示される。この表示模様は、給紙トレイ１に格納された用紙の推定残量が十分多い（用紙の推定残量あり）レベルであることを示している。一方、例えば、横バー７１Ｇは、模様が３種類で表示されている。この表示模様は、ジョブの実行に従って、給紙トレイ２に格納された用紙の推定残量が徐々に減少していくことを示している。例えば、左の模様は、給紙トレイ２に格納された用紙の推定残量が十分多い（用紙の推定残量あり）レベルであることを示している。真ん中の模様は、ジョブの実行に従って、給紙トレイ２に格納された用紙の推定残量が残りわずか（用紙の推定残量少）となるレベルであることを示している。右の模様は、ジョブの実行に従って、給紙トレイ２に格納された用紙の推定残量がなくなる（用紙の推定残量なし）レベルであることを示している。
【００６９】
切り替わり状態表示部７１Ｎは、横バー７１Ｈ，７１Ｉ，７１Ｊと、線Ａと、ＡＴＳ文字７１Ｏと、を表示する。線Ａは、切り替わりのタイミングを示すための線である。具体的には、線Ａは、切り替わり前の給紙トレイの横バーと切り替わり後の給紙トレイの横バーとを接続する。ＡＴＳ文字７１Ｏは、ジョブに使用される給紙トレイとして切り替わる給紙トレイを示すための文字である。具体的には、ＡＴＳ文字７１Ｏは、切り替わる給紙トレイの横バーの隣に表示される。例えば、給紙トレイ４がジョブ実行に使用される給紙トレイに選択され、給紙トレイ５には、給紙トレイ４に格納されている用紙（Ａ４の上質紙）と同サイズの用紙（Ａ４の普通紙）が格納されていたとする。また、給紙トレイ５は、ジョブに使用する給紙トレイとして給紙トレイ４の次に優先順位が高く設定されていたとする。この場合、ジョブの実行時に給紙トレイ４に格納されている用紙の残量がなくなると、ジョブの実行に使用する給紙トレイは、給紙トレイ４から給紙トレイ５に切り替えられることとなる。この場合、切り替え情報表示部７１Ｎには、図７に示すように、線Ａ及びＡＴＳ文字７１Ｏが表示される。
【００７０】
また、ジョブスケジューリング表７１Ａは、ジョブの実行中に、所定の周期で更新される。例えば、ジョブの実行中に新たなジョブが発生した場合は、新たなジョブが追加されてジョブスケジューリング表７１Ａに表示される。
【００７１】
次に、図８（Ａ）を参照して、ＡＴＳの設定がされていない場合における横バーの表示の一例を説明する。図８（Ａ）は、図７の横バー７１Ｇを詳細に示した図に該当する。ＡＴＳの設定がされていない場合、横バーには、例えば、用紙の推定残量が十分であることを示す模様、用紙の推定残量が残りわずかであることを示す模様、用紙の推定残量がないことを示す模様が表示される。この場合、ＡＴＳの設定がされていないので、ＡＴＳ文字は表示されない。
【００７２】
次に、図８（Ｂ）を参照して、ＡＴＳの設定がされており、ＡＴＳの可能な場合における横バーの表示の一例を説明する。図８（Ｂ）は、図７の切り替え状態表示部７１Ｎを詳細に示した図に該当する。この場合、給紙トレイ４の横バー７１Ｈの用紙の推定残量ありを示す模様が用紙の推定残量残りわずか（用紙の推定残量小）を示す模様に変化する時点で、線Ａが給紙トレイ４の横バー７１Ｈから給紙トレイ５の横バー７１Ｉに接続されて表示される。また、ＡＴＳ文字７１Ｏ（又は後述するＡＴＳボタンアイコン９１Ａ）が給紙トレイ５の横バー７１Ｉの隣に表示される。また、給紙トレイ４の横バー７１Ｈは、ＡＴＳ後に用紙の推定残量分だけ伸ばされて表示される。さらに、給紙トレイ５の横バー７１Ｉは、用紙の推定残量有りを示す模様が表示される。図８（Ｂ）を参照することにより、ユーザは、給紙トレイ４から給紙トレイ５へＡＴＳは可能であり、且つ、給紙トレイ４から給紙トレイ５への切り替わりタイミングを把握することができる。
【００７３】
次に、図８（Ｃ）を参照して、ＡＴＳ設定がされており、ＡＴＳの不可能な場合における横バーの表示の一例を説明する。例えば、給紙トレイ４から給紙トレイ５への切り替わり予定されており、給紙トレイ５には用紙の推定残量がないとする。この場合、線Ａ及びＡＴＳ文字７１Ｏは表示されるが、給紙トレイ５の横バー７１Ｈには、用紙の推定残量がないことを示す模様が表示される。図８（Ｃ）を参照することにより、ユーザは、給紙トレイ４から給紙トレイ５へのＡＴＳは不可能であることを把握することができる。
【００７４】
次に、図９を参照して、操作表示部３０に表示されるジョブスケジューリング画面９１の一例を説明する。以下、ジョブスケジューリング画面７１と同様な部分には同一の符合を付し、その詳細な説明を援用し、異なる部分を主として説明する。
【００７５】
図９に示すジョブスケジュール表７１Ａは、ＡＴＳボタンアイコン９１Ａと、ＡＴＳ設定部９１Ｂと、を表示する。ＡＴＳボタンアイコン９１Ａは、ＡＴＳ設定における各種設定を実行するための押下操作可能なボタンアイコンである。各種設定とは、優先順位を変更する設定やＡＴＳを無効にする設定のことをいう。ユーザによりＡＴＳボタンアイコン９１Ａが押下されると、制御部１１０の指示によりＡＴＳ設定部９１Ｂが表示される。ＡＴＳ設定部９１Ｂは、優先順位変更ボタン９１Ｃ，９１Ｄと、ＡＴＳ無効ボタン９１Ｅと、を表示する。優先順位変更ボタン９１Ｃ，９１Ｄは、設定された優先順位を変更するためのボタンである。例えば、ユーザにより優先順位設定ボタン９１Ｃ又は９１Ｄが押下されると、制御部１１０の指示により給紙トレイ４の優先順位が変更される。ＡＴＳ無効ボタン９１Ｅは、ＡＴＳ設定を無効にするためのボタンである。例えば、ユーザによりＡＴＳ無効ボタン９１Ｅが押下されると、制御部１１０の指示により給紙トレイ４はＡＴＳが無効に設定される。
【００７６】
次いで、画像形成装置１の動作を説明する。図１０に画像形成装置１で実行される表示処理の流れを示す。
【００７７】
画像形成装置１において、例えば、ユーザにより操作表示部３０を介して表示処理の実行指示が押下されたこと等をトリガとして、不揮発メモリ１２０から読み出されて適宜ＲＡＭ１３０に展開された表示プログラムと、ＣＰＵとの協働により表示処理が実行される。  
【００７８】
予め、ジョブの設定情報を含んだジョブ情報がＰＣ２からＬＡＮＩＦ１４を介して受信されているものとする。また、操作表示部３０を介して、表示画面３１Ａ及び表示画面４１ＡにおいてＡＴＳが設定されているものとする。さらに、表示画面３１Ａ及び表示画面６１Ａにおいて給紙トレイの自動選択の有無が設定され、給紙トレイの優先順位が設定されているものとする。
【００７９】
先ず、受信されたジョブ情報が参照され、ジョブ実行に必要な用紙枚数が算出される（ステップＳ１１）。具体的には、ジョブ情報に含まれている部数当りの用紙の枚数情報、部数情報、両面又は片面に画像形成するか否かの情報等に基づいて、ジョブ実行に必要な用紙枚数が算出される。そして、選択トレイの用紙の推定残量が算出される（ステップＳ１２）。選択トレイとは、例えば、トレイ優先順位設定部９１Ｃで優先順位が１番高く設定された給紙トレイのことをいう。例えば、表示画面６１Ａの設定の場合、給紙トレイ１が選択トレイに該当する。また、用紙の推定残量は、給紙トレイに備えられている用紙の残量を検出するセンサ（図示省略）により検出された用紙の残量に基づいて算出される。例えば、センサにより用紙残量が１０００枚であると検出され、本処理で対象としているジョブよりも前に実行が予定されているジョブにおいて選択トレイの用紙を３００枚使用するジョブがある場合、１０００−３００＝７００枚が用紙の推定残量として算出される。このとき、本処理で対象としているジョブよりも前に実行が予定されているジョブがない場合は、１０００枚が用紙の推定残量として算出される。
【００８０】
そして、ステップＳ１２で算出された用紙の推定残量からステップＳ１１で算出された用紙枚数の引き算（用紙残量−用紙枚数）が算出される（ステップＳ１３）。そして、用紙の推定残量がジョブ途中で残りわずかとなるか否かが判別される（ステップＳ１４）。例えば、ステップＳ１３で算出された値（用紙の推定残量−用紙枚数）と、用紙の推定残量が残りわずかとなるしきい枚数と、が参照されることにより本ステップの判別が行われる。例えば、ステップＳ１３で算出された値が、しきい枚数よりも小さい値である場合、本ステップにおいて、用紙の推定残量がジョブ途中で残りわずかと判別される。
【００８１】
ステップＳ１４において、用紙の推定残量がジョブ途中で残りわずかとならないと判別された場合（ステップＳ１４；ＮＯ）、選択トレイのバー表示が用紙の推定残量ありの模様で表示される（ステップＳ１５）。ステップＳ１５の実行後、表示処理は終了される。
【００８２】
ステップＳ１４において、用紙残量がジョブ途中で残りわずかとなると判別された場合（ステップＳ１４；ＹＥＳ）、選択トレイのバー表示が、用紙の推定残量残りわずかの時点で、用紙の推定残量ありの模様から用紙の推定残量残りわずかの模様に変更される（ステップＳ１６）。そして、優先順位の設定に従い、同サイズの給紙トレイがサーチされる（ステップＳ１７）。具体的には、選択トレイに格納されている用紙のサイズと同サイズの用紙が格納されている給紙トレイがトレイ優先順位設定部９１Ｃにより設定された優先順位の高い順から検索される。
【００８３】
ステップＳ１７の実行後、ステップＳ１７でサーチされたトレイ（該当トレイ）がないか否かが判別される（ステップＳ１８）。ステップＳ１８において、該当トレイがないと判別された場合（ステップＳ１８；ＹＥＳ）、該当用紙なし部に用紙の推定残量がないことを示す模様が表示される（ステップＳ１９）。該当用紙なし部は、ジョブスケジュールの縦軸の項目における１つの項目であり、例えば、図７のジョブスケジューリング画面７１における該当用紙なし部７１３に該当する。ステップＳ１９の実行後、表示処理は終了される。
【００８４】
ステップＳ１８において、該当トレイがあると判別された場合（ステップＳ１８；ＮＯ）、該当トレイが全て用紙なしか否かが判別される（ステップＳ２０）。すなわち、サーチされた給紙トレイの全てにおいて用紙がないか否かが判別される。該当トレイが全て用紙なしと判別された場合（ステップＳ２０；ＹＥＳ）、優先順位が高い給紙トレイに用紙の推定残量なしの模様＋ＡＴＳが表示される（ステップＳ２１）。例えば、給紙トレイ４が選択トレイとして選択され、給紙トレイ４の次に給紙トレイ５の優先順位が高い場合、給紙トレイ５の横バーを用紙の推定残量なしの模様で表示し、当該横バーの隣にＡＴＳ文字７１Ｏが表示される。具体的には、図８（Ｃ）に示すように、給紙トレイ５の横バーに用紙の推定残量なしの模様とＡＴＳ文字７１Ｏとが表示される。
【００８５】
ステップＳ２０において、該当トレイが全て用紙なしでないと判別された場合（ステップＳ２０；ＮＯ）、切り替え先トレイの用紙の推定残量が算出される（ステップＳ２２）。切り替え先トレイとは、ジョブに使用する給紙トレイとして切り替えられる給紙トレイのことをいう。例えば、給紙トレイ４が選択トレイとして選択され、給紙トレイ４に格納されている用紙のサイズと同サイズの用紙が給紙トレイ５に格納されており、さらに、給紙トレイ４の次に給紙トレイ５の優先順位が高いとする。この場合、優先順位の高い給紙トレイ５が切り替え先トレイとして決定され、給紙トレイ５の用紙残量が算出される。
【００８６】
ステップＳ２２の実行後、残り必要枚数が再算出される（ステップＳ２３）。残り必要枚数とは、ジョブ実行に必要な残りの用紙枚数のことをいう。例えば、ステップＳ１１において、必要用紙枚数が１０００枚、選択トレイに５００枚の用紙が格納されていた場合、残り必要枚数は１０００−５００＝５００枚となる。ステップＳ２３の実行後、切り替え先トレイに用紙の推定残量ありの模様＋ＡＴＳが表示される（ステップＳ２４）。例えば、給紙トレイ５が切り替え先トレイである場合、給紙トレイ５の横バーを用紙の推定残量有りの模様で表示し、当該横バーの隣にＡＴＳ文字７１Ｏが表示される。具体的には、図８（Ｂ）に示すように、給紙トレイ５の横バーに用紙の推定残量有りの模様が表示され、当該横バーの隣にＡＴＳ文字７１Ｏが表示される。また、給紙トレイ４の横バーの表示模様が用紙の推定残量有りから用紙の推定残量残りわずかとなった時点で、線Ａが給紙トレイ４の横バーから給紙トレイ５の横バーに接続される。さらに、給紙トレイ４の横バーが用紙の推定残量分伸ばされて表示される。ステップＳ２４の実行後、ステップＳ１３に移行される。      
【００８７】
以上、本実施の形態によれば、ユーザは、切り替わり情報（例えば、縦軸表示部７１Ｂの給紙トレイ番号情報４〜給紙トレイ番号情報６、横軸表示部７１Ｃのジョブの実行に使用される用紙枚数、横バー７１Ｈ〜７１Ｊ、線Ａ、ＡＴＳ文字７１Ｏ）をジョブの実行前に参照することができるので、どのタイミングでどの給紙トレイの用紙がなくなり、どの給紙トレイに切り替わるのかについてジョブの実行前に知ることができる。これにより、例えば、給紙トレイ４〜給紙トレイ６のいずれかの給紙トレイの用紙の推定残量がない場合（例えば、図８（Ｃ）の場合）、用紙の推定残量のない給紙トレイに対してジョブの実行前に用紙を補給することができるので、適切なタイミングで用紙を給紙トレイに補給することが可能となる。
また、ユーザは、切り替わる給紙トレイ（給紙トレイ５、給紙トレイ６）をジョブの実行前に知ることができるので、ジョブの実行前に、給紙トレイ５、給紙トレイ６の表裏調整等の調整作業を行うことができる。
【００８８】
また、ユーザは、用紙の推定残量レベルを示す横バー７１Ｅ〜７１Ｍを参照できるので、ジョブに使用する給紙トレイに格納された用紙の推定残量を把握することができる。
【００８９】
また、ユーザは、例えば、横バー７１Ｈと横バー７１Ｉとを接続する線Ａを参照することができるので、給紙トレイ４から給紙トレイ５への切り替えのタイミングを知ることができる。
【００９０】
また、ユーザは、ジョブの実行に使用する給紙トレイの切り替えを無効にするか否かをＡＴＳ無効ボタン９１Ｅを介して指示することができる。これにより、例えば、未調整の給紙トレイを、ジョブに使用する給紙トレイに切り替えないように指示することが可能となる。したがって、装置の状況に応じた自由度の高い設定が可能となり、効率的な装置稼働を実現することができる。
【００９１】
また、ユーザは、優先順位変更ボタン９１Ｃ、９１Ｄを介して優先順位を変更することができる。これにより、例えば、用紙残量がわずかな給紙トレイの優先順位を下げることが可能となる。したがって、装置の状況に応じた自由度の高い設定が可能となり、効率的な装置稼働を実現することができる。
【００９２】
また、ユーザは、縦線７１Ｄを参照することにより、ジョブの実行に使用される給紙トレイや用紙の推定残量をジョブ単位で知ることができる。
【００９３】
また、ユーザは、給紙トレイに格納された現時点の用紙残量情報（例えば、残量表示部７１２）を参照することにより、給紙トレイの用紙残量を知ることができる。
【００９４】
なお、上記実施の形態における記述は、本発明に係る画像形成装置１の一例であり、これに限定されるものではない。
【００９５】
例えば、横軸表示部７１Ｃは、ジョブの使用枚数を表示することとしたがこれに限定されるものではない。例えば、横軸表示部７１Ｃに、ジョブ実行に要するジョブ実行時間を表示することとしてもよい。
【００９６】
また、横バー７１Ｅ〜７１Ｍに用紙の推定残量ありを示す表示模様、用紙の推定残量少を示す表示模様、及び用紙の推定残量なしを示す表示模様の少なくとも３つを表示することとしたが、これに限定されるものではない。例えば、３つ以上の表示模様を表示することとしてもよい。
【００９７】
また、優先順位が一番高く設定されている給紙トレイを選択トレイとして選択することとしたがこれに限定されるものではない。例えば、ユーザがジョブに使用する給紙トレイを指定する設定を行っていた場合、ユーザにより指定された給紙トレイを選択トレイとして選択することとしてもよい。
【００９８】
以下の説明では、本発明に係るプログラムのコンピュータ読み取り可能な媒体として不揮発メモリ１２０を使用した例を開示したが、この例に限定されない。
その他のコンピュータ読み取り可能な媒体として、フラッシュメモリ等の不揮発性メモリ、ＣＤ−ＲＯＭ等の過般型記録媒体を適用することが可能である。
また、本発明に係るプログラムのデータを通信回線を介して提供する媒体として、キャリアウエーブ（搬送波）も本発明に適用される。
【００９９】
その他、上記実施の形態における画像形成装置１の細部構成及び詳細動作に関しても、本発明の趣旨を逸脱しない範囲で適宜変更可能である。
【図面の簡単な説明】
【０１００】
【図１】本発明に係る画像形成装置の概略断面構成図である。
【図２】画像形成装置の制御ブロック図である。
【図３】ＡＴＳ設定画面の一例を示す図である。
【図４】ＡＴＳ設定画面の一例を示す図である。
【図５】自動選択設定画面及び優先順位の設定画面の一例を示す図である。
【図６】自動選択設定画面及び優先順位の設定画面の一例を示す図である。
【図７】ジョブスケジューリング画面の一例を示す図である。
【図８】（Ａ）は、ＡＴＳ設定がされていない場合における横バーの表示の一例を示した図である。（Ｂ）は、ＡＴＳ設定がされており、ＡＴＳの可能な場合における横バーの表示の一例を示した図である。（Ｃ）は、ＡＴＳ設定がされており、ＡＴＳの不可能な場合における横バーの表示の一例を示した図である。
【図９】ジョブスケジューリング画面の一例を示す図である。
【図１０】表示処理の流れを示すフローチャートである。
【図１１】表示処理の流れを示すフローチャートである。
【符号の説明】
【０１０１】
１     画像形成装置
１ａ   本体部
１ｂ   プリンタコントローラ
２     ＰＣ
３     ネットワーク
１１   コントローラ制御部
１３   画像メモリ
２０   画像読取部
２１   自動原稿送り部
２２   読取部
２２ａ ＣＣＤ
３０   操作表示部
３１   ＬＣＤ
３２   タッチパネル
４０   プリント部
４１   積載部
４１ａ 給紙トレイ
４１ｂ 給紙手段
４２   用紙搬送部
４２ａ レジストローラ
４３   画像形成部
４３ａ 転写装置
４３ｂ 定着装置
４４   搬出部
５０   後処理部
１００ 画像制御基板
１１０ 制御部
１２０ 不揮発メモリ
１３０ ＲＡＭ
１４０ 読取処理部
１５０ 圧縮ＩＣ
１６０ ＤＲＡＭ制御ＩＣ
１７０ 画像メモリ
１７１ 圧縮メモリ
１７２ ページメモリ
１８０ 伸長ＩＣ
１９０ 書込処理部
２００ 画像読取制御部
３００ 操作表示制御部
４００ プリント制御部
５００ 後処理制御部
【図１】
2010044141.tif 000003
【図２】
2010044141.tif 000004
【図３】
2010044141.tif 000005
【図４】
2010044141.tif 000006
【図５】
2010044141.tif 000007
【図６】
2010044141.tif 000008
【図７】
2010044141.tif 000009
【図８】
2010044141.tif 000010
【図９】
2010044141.tif 000011
【図１０】
2010044141.tif 000012
【図１１】
2010044141.tif 000013